(57)【要約】【課題】読取対象に対する汎用性を向上できる医療データ読取装置および医療データ読取方法を提供すること。【解決手段】医療データ読取装置１０は、撮像部４０と、医療機器を特定可能な機器特定情報および医療機器に表示される医療データを特定可能な医療データ特定情報を記憶する記憶部６０と、撮像部４０による撮像画像および機器特定情報に基づいて、撮像部４０で撮像された医療機器を特定する医療機器特定部７２と、撮像画像、医療データ特定情報、および医療機器特定部７２の特定結果に基づいて、撮像された医療機器に表示された医療データを特定する医療データ特定部７３と、医療データ特定部７３で特定された医療データを記録する記録部７４とを備えている。【選択図】図２
2017102797.tif 000002
【特許請求の範囲】
【請求項１】
撮像部と、
医療機器を特定可能な機器特定情報および前記医療機器に表示される医療データを特定可能な医療データ特定情報を記憶する記憶部と、
前記撮像部による撮像画像および前記機器特定情報に基づいて、前記撮像部で撮像された医療機器を特定する医療機器特定部と、
前記撮像画像、前記医療データ特定情報、および前記医療機器特定部の特定結果に基づいて、前記撮像された医療機器に表示された医療データを特定する医療データ特定部と、
前記医療データ特定部で特定された医療データを記録する記録部とを備えていることを特徴とする医療データ読取装置。
【請求項２】
前記機器特定情報は、前記医療機器の形状を含み、
前記医療機器特定部は、前記撮像された医療機器の形状から当該医療機器を特定することを特徴とする請求項１に記載の医療データ読取装置。
【請求項３】
前記機器特定情報は、前記医療機器の表示画面の形状を含み、
前記医療機器特定部は、前記撮像された医療機器の表示画面の形状から当該医療機器を特定することを特徴とする請求項１または請求項２に記載の医療データ読取装置。
【請求項４】
前記機器特定情報は、前記医療機器における表示画面の配置を含み、
前記医療機器特定部は、前記撮像された医療機器における表示画面の配置から当該医療機器を特定することを特徴とする請求項１から請求項３のいずれか１項に記載の医療データ読取装置。
【請求項５】
前記医療データ特定情報は、前記医療機器の表示画面における前記医療データの表示位置を含み、
前記医療データ特定部は、前記表示画面における前記医療データの表示位置から当該医療データを特定することを特徴とする請求項１から請求項４のいずれか１項に記載の医療データ読取装置。
【請求項６】
医療機器を撮像する工程と、
撮像画像および前記医療機器を特定可能な機器特定情報に基づいて、撮像された医療機器を特定する工程と、
前記撮像画像、前記医療機器に表示される医療データを特定可能な医療データ特定情報、および前記医療機器の特定結果に基づいて、前記撮像された医療機器に表示された医療データを特定する工程と、
特定された医療データを記録する工程とを備えていることを特徴とする医療データ読取方法。
【発明の詳細な説明】
【技術分野】
【０００１】
本発明は、医療データ読取装置および医療データ読取方法に関する。
【背景技術】
【０００２】
従来、医療機器や医療用品等の読取対象物から医療データを読み取る医療データ読取装置が知られている（例えば、特許文献１参照）。
【先行技術文献】
【特許文献】
【０００３】
【特許文献１】特開２０１１−２０６４８７号公報
【発明の概要】
【発明が解決しようとする課題】
【０００４】
しかしながら、特許文献１に記載されたような従来の医療データ読取装置は、通信によって医療データを読み取るため、通信仕様を満たす読取対象でなければ医療データを読み取ることができず、読取対象に対する汎用性に欠けるという問題がある。
【０００５】
本発明の目的は、読取対象に対する汎用性を向上できる医療データ読取装置および医療データ読取方法を提供することにある。
【課題を解決するための手段】
【０００６】
本発明の医療データ読取装置は、撮像部と、医療機器を特定可能な機器特定情報および前記医療機器に表示される医療データを特定可能な医療データ特定情報を記憶する記憶部と、前記撮像部による撮像画像および前記機器特定情報に基づいて、前記撮像部で撮像された医療機器を特定する医療機器特定部と、前記撮像画像、前記医療データ特定情報、および前記医療機器特定部の特定結果に基づいて、前記撮像された医療機器に表示された医療データを特定する医療データ特定部と、前記医療データ特定部で特定された医療データを記録する記録部とを備えていることを特徴とする。
【０００７】
本発明の医療データ読取装置において、前記機器特定情報は、前記医療機器の形状を含み、前記医療機器特定部は、前記撮像された医療機器の形状から当該医療機器を特定することが好ましい。
【０００８】
本発明の医療データ読取装置において、前記機器特定情報は、前記医療機器の表示画面の形状を含み、前記医療機器特定部は、前記撮像された医療機器の表示画面の形状から当該医療機器を特定することが好ましい。
【０００９】
本発明の医療データ読取装置において、前記機器特定情報は、前記医療機器における表示画面の配置を含み、前記医療機器特定部は、前記撮像された医療機器における表示画面の配置から当該医療機器を特定することが好ましい。
【００１０】
本発明の医療データ読取装置において、前記医療データ特定情報は、前記医療機器の表示画面における前記医療データの表示位置を含み、前記医療データ特定部は、前記表示画面における前記医療データの表示位置から当該医療データを特定することが好ましい。
【００１１】
本発明の医療データ読取方法は、医療機器を撮像する工程と、撮像画像および前記医療機器を特定可能な機器特定情報に基づいて、撮像された医療機器を特定する工程と、前記撮像画像、前記医療機器に表示される医療データを特定可能な医療データ特定情報、および前記医療機器の特定結果に基づいて、前記撮像された医療機器に表示された医療データを特定する工程と、特定された医療データを記録する工程とを備えていることを特徴とする。
【００１２】
以上の本発明によれば、読取対象である医療機器を撮像した画像から、当該医療機器に表示された医療データを読み取るため、医療機器と通信せずに医療データを読み取ることができ、読取対象に対する汎用性を向上することができる。
【００１３】
また、撮像された医療機器の形状、医療機器の表示画面の形状、医療機器における表示画面の配置から医療機器を特定するようにすれば、医療機器の特定を確実に行うことができる。
さらに、撮像された医療機器の表示画面における医療データの表示位置から当該医療データを特定するようにすれば、医療データの特定を確実に行うことができる。
【図面の簡単な説明】
【００１４】
【図１】本発明の一実施形態に係る医療データ読取装置の平面図。
【図２】医療データ読取装置のブロック図。
【図３】医療データ読取装置の処理手順を示すフローチャート。
【図４】医療データ読取装置の動作説明図。
【図５】本発明の変形例に係る医療データ読取装置のブロック図。
【発明を実施するための形態】
【００１５】
以下、本発明の一実施形態を図面に基づいて説明する。
図１において、医療データ読取装置１０は、スマートフォンやタブレット端末等の携帯端末で構成され、筐体２０、表示部３０、および撮像部４０を備えている。
【００１６】
筐体２０は、表示部３０および撮像部４０を支持するとともに、医療データ読取装置１０の各種構成を収容している。この筐体２０は、使用者が医療データ読取装置１０を使用する際に把持可能な取っ手部２１を備えている。
【００１７】
表示部３０は、例えば、液晶パネルにより構成され、撮像部４０による撮像画像や、医療データ読取装置１０を操作するためのタッチパネル等を表示する。
【００１８】
撮像部４０は、筐体２０における表示部３０とは反対側の面に設けられ、使用者が読取対象を表示部３０で視認しながら、当該読取対象を撮像できるようになっている。
【００１９】
図２は、医療データ読取装置１０のブロック図である。
図２において、医療データ読取装置１０は、表示部３０、撮像部４０、操作部５０、記憶部６０、および制御部７０を備えている。
【００２０】
操作部５０は、医療データ読取装置１０に対する入力操作を行うためのものであり、例えば、表示部３０に表示されるタッチパネル、ポインティング装置、音声入力装置により構成される。
【００２１】
記憶部６０は、ＲＡＭ（Random Access Memory）等の記憶媒体で構成され、読取対象である医療機器から読み取られる医療データや、医療機器以外の読取対象から得られる医療データを、日時とともに記憶可能に構成されている。また、記憶部６０は、医療データ読取装置１０の制御プログラム、機器特定情報、医療データ特定情報、患者特定情報、患者診療記録（いわゆる電子カルテ）を記憶している。
【００２２】
医療データは、患者の生体状態や医療状態を把握するために必要なデータのうち読取対象から読取可能なものであり、患者の体温、心拍数、脈拍、血圧、血中酸素量、血糖値等のバイタルデータ、患者に投与されるまたは患者が服用する医薬品およびその量、患者の尿量、摂取カロリー等が含まれる。
機器特定情報は、医療機器を特定可能な情報であり、医療機器の形状、種類、メーカー、型番、医療機器における表示画面の形状、配置、医療機器に占める表示画面の大きさ、範囲等の情報が含まれる。
医療データ特定情報は、医療機器に表示される医療データを特定可能な情報であり、医療機器の表示画面に表示される医療データの種類、数値範囲、桁数、単位、医療機器の表示画面における医療データの表示位置等の情報が含まれる。
患者特定情報は、患者を特定可能な情報であり、患者の性別、氏名、年齢等の情報が含まれる。
患者診療記録は、患者ごとの診療歴を記録した情報であり、患者に施した処置や検査の内容、患者の医療データ等を日時とともに記録したものである。
【００２３】
制御部７０は、マイクロプロセッサ等の情報処理装置で構成され、記憶部６０に記憶された制御プログラムに則って、医療データ読取装置１０全体の制御を行うように構成されている。この制御部７０は、患者特定部７１、医療機器特定部７２、医療データ特定部７３、および記録部７４を備えている。
【００２４】
患者特定部７１は、読み取られる医療データがどの患者のものであるかを特定する。本実施形態の場合、患者特定部７１は、操作部５０の入力操作および記憶部６０に記憶された患者特定情報に基づいて、患者を特定する。
【００２５】
医療機器特定部７２は、撮像部４０による撮像画像および記憶部６０に記憶された機器特定情報に基づいて、撮像部４０で撮像された医療機器を特定する。具体的に、医療機器特定部７２は、撮像画像から得られる医療機器の外観上の特徴と、機器特定情報における医療機器の各種情報とを比較し、両者が一致するか否かを判定することにより、医療機器を特定する。
【００２６】
医療データ特定部７３は、撮像部４０による撮像画像、記憶部６０に記憶された医療データ特定情報、および医療機器特定部７２の特定結果に基づいて、撮像された医療機器に表示された医療データを特定する。具体的に、医療データ特定部７３は、医療機器特定部７２で特定された医療機器の医療データ特定情報を参照し、撮像画像から得られる医療機器の表示画面の表示と照らし合わせることにより、医療機器に表示された医療データを特定する。
【００２７】
記録部７４は、医療データ特定部７３で特定された医療データを患者特定部７１で特定された患者のものとして、日時とともに記憶部６０に記録する。
【００２８】
以上の医療データ読取装置１０において、図４に示す医療機器としての体温計９０の撮像画像から医療データを読み取る手順を、図３に示すフローチャートに沿って説明する。
【００２９】
先ず、使用者が操作部５０を介して患者に関する入力操作を行うと、患者特定部７１は、記憶部６０に記憶されている患者特定情報を参照し、入力操作に対応する患者を特定する（ステップＳ１）。
そして、使用者が体温計９０の表示画面９１部分に撮像部４０を向け、操作部５０を介して撮像操作を行うと、撮像部４０が体温計９０を撮像し、図４に示すように、その画像が表示部３０に表示される（ステップＳ２）。
【００３０】
次に、医療機器特定部７２は、撮像部４０による撮像画像から、撮像された医療機器を特定する（ステップＳ３）。本実施形態の場合、医療機器特定部７２は、撮像画像における医療機器の形状が、機器特定情報に含まれる体温計９０の形状と一致した場合に、撮像された医療機器が体温計９０であると特定する。
【００３１】
次いで、医療データ特定部７３は、記憶部６０に記憶されている医療データ特定情報を参照し、撮像画像における体温計９０の表示画面９１の表示と照らし合わせることにより、表示画面９１に表示された医療データを特定する（ステップＳ４）。本実施形態の場合、体温計９０が表示する医療データが体温のみであることが医療データ特定情報として記憶されているため、医療データ特定部７３は、表示画面９１に表示された３７．０という数値が患者の体温であると特定する。
【００３２】
その後、記録部７４は、医療データ特定部７３で特定された体温を日時とともに記憶部６０に記録する（ステップＳ５）。そして、制御部７０は、図４中符号ＡＡで示すように、読み取った体温を表示部３０に強調して表示するとともに、該当する患者の直近の体温の履歴を表示する。
【００３３】
以上のような本実施形態によれば、体温計９０を撮像した画像から、当該体温計９０に表示された体温を読み取るため、体温計９０と通信せずに体温を読み取ることができ、読取対象に対する汎用性を向上することができる。
【００３４】
なお、本発明は前述の実施形態に限定されるものではなく、本発明の目的を達成できる範囲での変形、改良等は本発明に含まれる。
例えば、医療データ読取装置１０は、図５に示すように、通信部８０を備えてもよい。通信部８０は、制御部７０が外部装置と通信を行うためのインターフェースであり、管理サーバ１００と無線や有線での通信が可能に構成されている。このような構成により、医療データ読取装置１０は、管理サーバ１００から最新の患者診療記録を受信し、記憶部６０に記憶されている患者診療記録を更新したり、記憶部６０に記録した医療データを管理サーバ１００に送信し、管理サーバ１００に記憶されている患者診療記録を更新したりすることができる。
医療データ読取装置１０は、表示部３０、撮像部４０、操作部５０、記憶部６０、制御部７０、および通信部８０のいずれか１つもしくは複数または全てが別体で構成されてもよい。例えば、医療データ読取装置１０は、独立した表示部としてのディスプレイと、撮像部としてのデジタルカメラと、操作部としてのキーボードと、制御部であって通信部でもあるパーソナルコンピュータとで構成されてもよい。
医療データ読取装置１０は、眼鏡タイプ、リストバンドタイプ、指輪タイプその他のウェラブル端末であってもよいし、病院や家庭に設置された設置端末であってもよい。
【００３５】
撮像部４０は、筐体２０とは別体のデジタルカメラやビデオカメラであってもよい。
【００３６】
操作部５０は、筐体２０とは別体に構成されてもよく、例えば、キーボードやマウスであってもよい
【００３７】
記憶部６０は、新たな医療機器に関する機器特定情報や医療データ特定情報を追加したり、既に記憶されている医療機器の機器特定情報や医療データ特定情報を変更、更新したりするように構成されてもよい。この場合、機器特定情報や医療データ特定情報は、操作部５０を介して入力したり、管理サーバ１００から通信部８０を介して取得したりすればよい。
【００３８】
患者特定部７１は、撮像部４０で撮像された患者の画像から患者を特定してもよい。この場合、患者の外観上の特徴や比較対象となる画像を予め記憶部６０に記憶しておけばよい。
【００３９】
医療機器特定部７２は、撮像された医療機器の表示画面の形状から、当該医療機器を特定してもよい。例えば、医療機器特定部７２は、体温計９０の表示画面９１が横長であり、その縦横比（アスペクト比）が所定値であることから、医療機器が体温計９０であると特定してもよい。
医療機器特定部７２は、撮像された医療機器における表示画面の配置から、当該医療機器を特定してもよい。例えば、医療機器特定部７２は、表示画面９１が体温計９０の先端側（検温部側）ではなく基端側に配置されていることから、医療機器が体温計９０であると特定してもよい。
医療機器特定部７２は、医療機器に付された特定のマーク、文字、色彩等を用いて、医療機器を特定してもよい。このようなマークとしては、医療機器の製造会社や販売会社のハウスマーク、医療機器そのものを表すマークが例示できる。また、文字としては、医療機器の製造会社や販売会社の社名、医療機器の製品名や製品番号が例示できる。
医療機器特定部７２は、撮像された医療機器の特徴が機器特定情報に含まれる複数の情報と一致するか否かを判定し、医療機器を特定してもよい。
医療機器特定部７２は、医療機器以外の読取対象の形状、メーカー、型番等の情報から、当該読取対象を特定するように構成されてもよい。
【００４０】
医療データ特定部７３は、医療機器の表示画面における医療データの表示位置から、当該医療データを特定してもよい。例えば、医療データ特定部７３は、体温計９０の表示画面９１の中央部に数値が表示されている場合、当該数値が体温であると特定してもよい。また、医療データ特定部７３は、最大血圧と最小血圧とを同時に表示する血圧計のように、１つの表示画面に複数の医療データが表示される場合、それぞれの表示位置から複数の医療データを特定してもよい。
医療データ特定部７３は、薬剤等の医薬品のパッケージを撮像した画像から、当該医薬品およびその量を特定したり、患者の尿バックを撮像した画像から尿量を特定したり、食事前後の食器を撮像した画像から料理の減り具合を判断して摂取カロリーを特定したりしてもよい。この場合、医療データ特定部７３は、医療機器特定部７２による処理を経ないで医療データを特定してもよいし、医療機器特定部７２による処理の結果、医療機器以外の読取対象が特定されたときに医療データを特定してもよい。
医療データ特定部７３は、医療データの表示上の特徴が医療データ特定情報に含まれる複数の情報と一致するか否かを判定し、医療データを特定してもよい。
医療データ特定部７３は、医療機器以外の読取対象の形状、メーカー、型番等の情報から、当該読取対象の医療データを特定するように構成されてもよい。
【００４１】
記録部７４は、読み取った医療データを通信部８０経由で管理サーバ１００に記録してもよい。
【００４２】
医療機器は、医療データを表示するものであれば体温計９０に限られず、例えば、脈拍計、血圧計、血糖値測定装置等であってもよい。
医療機器は、複数の表示画面を備えたものでもよいし、１つの表示画面に複数の医療データを表示可能なものでもよい。
【符号の説明】
【００４３】
１０    医療データ読取装置
４０    撮像部
６０    記憶部
７２    医療機器特定部
７３    医療データ特定部
７４    記録部
９０    体温計（医療機器）
【図１】
2017102797.tif 000003
【図２】
2017102797.tif 000004
【図３】
2017102797.tif 000005
【図４】
2017102797.tif 000006
【図５】
2017102797.tif 000007